(57)【要約】複数のタイル（１０１）から成る投影ディスプレイ装置は、それぞれのタイルに対して１台ある複数のプロジェクタ（４００）によって照明される。共通の光源（２００）からの光は、第１の光ファイバ・ケーブル・セット（５０１）を介して光分離ユニット（３００）に送られる。分離ユニットは、光を個別の原色に空間的にまたは逐次的に分離する。個別の原色は次いで、第２の光ファイバ・ケーブル・セット（５０２）を介して個々のプロジェクタに送られる。
2004501398.tif 000002
【特許請求の範囲】
【請求項１】
複数の個別のタイルから成る投影ディスプレイのための投影型ディスプレイ・システムであって、
光を生み出す照明源と、
複数の個別の成分色に光を分離するための光分離ユニットと、
前記源から前記光分離ユニットに光を送るための第１の光ファイバ・ケーブルと、
それぞれが前記ディスプレイの１枚のタイルに関連づけられた複数のプロジェクタと、
光の個々の色を前記光分離ユニットから前記プロジェクタに送るための第２の光ファイバ・ケーブルと
を備えた投影型ディスプレイ・システム。
【請求項２】
前記光分離ユニットが、それぞれが単一の成分色に光を分離する個別の複数の光分離装置を備えた、請求項１に記載の投影型ディスプレイ・システム。
【請求項３】
前記第２の光ファイバ・ケーブルが、それぞれの成分色に対する、前記個別の光分離装置から前記プロジェクタへの個別の光ファイバ・ケーブルを含む、請求項２に記載の投影型ディスプレイ・システム。
【請求項４】
前記光分離ユニットが、光を４色以上の成分色に分離する、請求項１に記載の投影型ディスプレイ・システム。
【請求項５】
それぞれの第１の光ファイバ・ケーブルが、ラウンド・ツー・スクエア・モーフィング・コリメータで前記光分離ユニットに接続された、請求項１に記載の投影型ディスプレイ・システム。
【請求項６】
前記光分離ユニットが、スクエア・ツー・ラウンド・モーフィング・コンセントレータでそれぞれの第２の光ファイバ・ケーブルに接続された、請求項１に記載の投影型ディスプレイ・システム。
【請求項７】
前記光分離ユニットが、スクエア・ツー・ラウンド・モーフィング・コンセントレータでそれぞれの第２の光ファイバ・ケーブルに接続された、請求項１に記載の投影型ディスプレイ・システム。
【請求項８】
それぞれの前記個別の光分離装置が、波長５７５から６００ナノメートルの光バンドを通過させるビーム・スプリッタであり、前記光分離ユニットがさらに、前記光バンドを吸収するビーム・ダンプを備えた、請求項２に記載の投影型ディスプレイ・システム。
【請求項９】
それぞれの前記プロジェクタが、前記第２の光ファイバ・ケーブルからの個別の成分色をそれぞれの前記プロジェクタのところで結合する結合光学系と、結合された光をディスプレイのタイル上へ投影するための投影レンズとを含む、請求項４に記載の投影型ディスプレイ・システム。
【請求項１０】
前記照明源が単一の光エンジンを備え、前記光エンジンがさらに、
光を生み出す高輝度ランプと、
複数の開口と、
高輝度ランプによって生み出された光を反射し、それによって前記光が前記開口から外へ出るようにする複数の楕円ミラーと
を備え、
前記開口が、第１の複数の光ファイバ・ケーブルへ光を通過させる、
請求項１に記載の投影型ディスプレイ・システム。
【請求項１１】
前記光分離ユニットが、光を複数の成分色にシーケンシャルに分離する、請求項１に記載の投影型ディスプレイ・システム。
【請求項１２】
前記複数の成分色が４色以上の成分色を含む、請求項１１に記載の投影型ディスプレイ・システム。
【請求項１３】
前記光分離ユニットに接続されたシーケンス・コントローラであって、ディスプレイ・タイルを見ている人がその光を結合された光として見るだけの十分に速い速度で前記ユニットが光をシーケンシャルに分離するようにするシーケンス・コントローラをさらに備えた、請求項１１に記載の投影型ディスプレイ・システム。
【請求項１４】
前記第２の複数のケーブルが、前記光分離ユニットからそれぞれの前記プロジェクタへの単一の光ファイバ・ケーブルを含む、請求項１１に記載の投影型ディスプレイ・システム。
【請求項１５】
複数の個別のディスプレイ・タイルから成るタイル式投影ディスプレイのためのタイル・ディスプレイ式投影型ディスプレイ・システムであって、
複数のディスプレイ・プロジェクタ
を備え、
それぞれの個別のディスプレイ・タイルが、対応する前記ディスプレイ・プロジェクタに関連づけられており、
さらに、
光を生み出し、第１の複数の光ファイバ・ケーブルの中へ前記光を送る照明源と、
照明源によって生み出された光を受け取り、前記光を原色成分に分離し、前記ディスプレイ・プロジェクタに接続された第２の複数の光ファイバ・ケーブルの中へ前記原色成分を送る光分離ユニットと
を備えた投影型ディスプレイ・システム。
【請求項１６】
それぞれの前記ディスプレイ・プロジェクタが、複数の透過型ポリシリコン液晶装置を備えた画像化ユニットを含む、請求項１５に記載の投影型ディスプレイ・システム。
【請求項１７】
それぞれの前記ディスプレイ・プロジェクタが、複数のマイクロ・エレクトロメカニカル・システム装置を備えた画像化ユニットを含む、請求項１５に記載の投影型ディスプレイ・システム。
【請求項１８】
前記照明源が単一の光エンジンを備え、前記光エンジンがさらに、
光を生み出す高輝度ランプと、
複数の開口と、
高輝度ランプによって生み出された光を反射し、それによって前記光が前記開口から外へ出るようにする複数の楕円ミラーと
を備え、
前記開口が、第１の複数の光ファイバ・ケーブルへ光を通過させる、
請求項１５に記載の投影型ディスプレイ・システム。
【請求項１９】
前記光分離ユニットが前記光を空間的に分離する、請求項１５に記載の投影型ディスプレイ・システム。
【請求項２０】
前記光分離ユニットが前記光をシーケンシャルに分離する、請求項１５に記載の投影型ディスプレイ・システム。
【発明の詳細な説明】
【０００１】
（発明の背景）
技術分野
本発明は、例えばビデオ画像をディスプレイするのに使用される大型の投影型ディスプレイ装置に関し、詳細には、複数のプロジェクタを備え、１つまたは複数の遠隔光源からこれらのプロジェクタへ照明を導くのに光ファイバを使用する、タイル・ディスプレイ式ディスプレイ・システムに関する。
【０００２】
背景技術
消費者の間では、ホーム・シアター、ホーム・アドバタイジングなどの適用向けの高精細大画面ディスプレイに対する要求が高まっている。消費者適用向けの一般的な液晶ディスプレイ（ＬＣＤ）のＳＶＧＡ解像度は約６００×８００画素である。ただしハイエンドの投影型ディスプレイでは最高１９２０×１０８０画素のものも導入されている。大型のディスプレイにこのような低い解像度でディスプレイすると画質は受け入れがたいものとなる。例えば、対角１０フィート（約３０５ｃｍ）の画像として投影されたＳＶＧＡディスプレイの最小画素サイズは約１／８インチ（約３．２ｍｍ）×１／８インチである。さらに、コンピュータ・モニタおよび標準型テレビジョンの幅と高さのアスペクト比が４：３であるのに対して、高精細テレビジョンＨＤＴＶのそれは１６：９である。
【０００３】
小さな投影画像「タイル（ｔｉｌｅ）」を何枚か組み合わせてより大きな合成タイル・ディスプレイ画像とするという発想に基づいて大型の投影型ディスプレイを製作しようとする試みが、例えばＢｌｅｈａ他（米国特許第６０１７１２３号）などによって、過去にいくつかなされている。輝度の不足およびタイル間の色均一性の欠如のため、従来技術のこれらのシステムは一般に決して満足の行くものではなかった。この色均一性の欠如は一般に、それぞれの投影ランプが、システムの他のランプとは異なる輝度および色特性を示すことになるような、複数のランプの使用によって起こる。たとえそれらが一致した光源、一般にメタル・ハライド・ランプを選択したとしても、輝度および色特性はランプを使用していくうちに変化する。
【０００４】
この輝度の不足および色均一性の欠如を補償する試みにおいて、従来技術では、例えばＪｏｈｎｓｏｎ他に与えられた特許（米国特許第６２１９０９９号）に記載されているものなどに、それぞれの投影画像を個別に修正する画像処理機能に接続されたカメラが教示されている。欠点として、このＪｏｈｎｓｏｎの画像処理機能は、輝度の不足および投影されたタイル間の色均一性の欠如を補償するために、ディスプレイ画像に対して使用可能な多くのグレー・シェード（ｇｒａｙ　ｓｈａｄｅ）を犠牲にしてしまっている。
【０００５】
従来技術の投影型ディスプレイにおける他の問題は、メタル・ハライド・ランプなどの高輝度光源が必要であり、この高輝度光源が一般に大量の熱を生み出すことである。この大量の熱によって、液晶ディスプレイのような投影画像ディスプレイ要素の信頼性が低くなる可能性がある。
【０００６】
図１に、Ｋｏｄａｍａ他（米国特許第６２１２０１３号）によって論じられている従来型の投影型ディスプレイ装置の一例を示す。この装置は、単一のディスプレイまたはタイル・ディスプレイ式ディスプレイのそれぞれのディスプレイ・タイルに対して使用することができる。
【０００７】
図１を参照する。リフレクタ（反射手段）２を有する光源ユニット１から発射された白色光は、レンズ３、４、コンバータ５およびレンズ６を通過し、ダイクロイック・ミラーＤＭ１に入射する。このミラーは、赤色光成分Ｒを透過させ、緑色光成分および青色光成分を反射する。ダイクロイック・ミラーＤＭ１を透過した赤色光成分は次いで全反射ミラーＭ１で反射され、視野レンズ７Ｒおよびトリミング・フィルタＴＲを通過して赤色画像ディスプレイ要素８Ｒに入射する。ここで赤色光成分は入力信号に従って光学的に調整される。このように光学的に調整された赤色光成分は、調整された青色光成分および調整された緑色光成分とダイクロイック・プリズム９の中で結合され、投影レンズ１０へ送られる。
【０００８】
一方、ダイクロイック・ミラーＤＭ１で反射された青色および緑色光成分のうち、緑色光成分Ｇは、別のダイクロイック・ミラーＤＭ２によって反射され、視野レンズ７Ｇおよびトリミング・フィルタＴＧを通過して緑色画像ディスプレイ要素８Ｇに入射する。ここで緑色光成分は入力信号に従って光学的に調整される。このように光学的に調整された緑色光成分は、調整された赤色光成分および調整された青色光成分とダイクロイック・プリズム９の中で結合され、投影レンズ１０へ送られる。さらに、ダイクロイック・ミラーＤＭ２を透過した青色光成分Ｂは、集光レンズ１１、全反射ミラーＭ２、リレー・レンズ１２、全反射ミラーＭ３および視野レンズ７Ｂを通過して、青色画像ディスプレイ要素８Ｂに入射する。ここで青色光成分は入力信号に従って光学的に調整される。このように光学的に調整された青色光成分は、調整された赤色光成分および調整された緑色光成分とダイクロイック・プリズム９の中で結合され、投影レンズ１０へ送られる。結合ダイクロイック・プリズム９によって結合された３色光は次いで、投影レンズ１０によって、図示されていない標的スクリーンまたはディスプレイ・タイルに向かって投影される。
【０００９】
ディスプレイ業界では長い間、均一な色および輝度特性を有する、タイル式投影ディスプレイ用の高輝度光源を備えた高精細大型スクリーンが求められている。
【００１０】
（発明の概要）
発明の開示
本発明は、共通の光源から高輝度白色光を生み出し、この高輝度白色光を高輝度原色光成分に分離し、これらの高輝度原色光成分を光ファイバ・ケーブルを使用して複数のプロジェクタに結合する。好ましくは、本発明の投影型ディスプレイ・システムがそれぞれのディスプレイ・タイルに対して別々のランプを使用せず、それによって、例えば高さ９フィート（約２．７４ｍ）×幅１６フィート（約４．８８ｍ）の投影ディスプレイ領域全体にわたって、均一なディスプレイ輝度および色均一性を達成する。本発明の新規な一態様では、複数の光源を結合するようにして、光源すなわちランプ過剰の状態（ｌａｍｐ　ｒｅｄｕｎｄａｎｃｙ）を提供しながらもこれらの光源が色および輝度の均一性に関して単一の光源として機能することを可能にする。
【００１１】
本発明の一実施形態では、ディスプレイ・タイル１枚につき３台の画像化装置、例えば透過型ポリシリコン（ポリＳｉ）液晶（ＬＣ）画像化装置を使用し、それぞれの画像化装置が、赤、緑および青から成るグループから選択された１つの原色に割り当てられる。
【００１２】
本発明の他の実施形態では、単一の画像化装置を使用して、全３原色を用いたフレーム・シーケンス（ＦＳ）法でそれぞれのディスプレイ・タイルを駆動する。特定の一実施形態では、フレーム・シーケンスがまず最初に赤色情報をディスプレイし、続いて緑、続いて青色情報を永続的なサイクルでディスプレイする。このサイクルは、人間の脳が、あたかも同時にディスプレイされているかのように画像を統合することができるだけの十分な速度である。そのため、本発明のこの実施形態が必要な画像化装置の総数を最小化する。
【００１３】
（発明の詳細な説明）
発明実施の形態
まず最初に図２を参照する。タイル・ディスプレイ投影画像１００は、個別のディスプレイ・タイル１０１Ａ．．．１０１Ｎから成る。本発明の好ましい一実施形態は、図２に示すような３行×４列のディスプレイ・タイル・アレイ（タイル配列）を有する。他の実施形態のいては、六角形など長方形以外の形状のディスプレイ・タイルを含むさまざまなタイル構成、および、合成投影ディスプレイが三角形など長方形以外の形状であるタイル構成を有することができる。
【００１４】
図２および図３を参照する。それぞれのディスプレイ・タイル１０１Ａ．．．１０１Ｎは、これらのディスプレイ・タイルのそれぞれに関連するディスプレイ・プロジェクタ４００Ａ．．．４００Ｎから投影された、完全な画像の一部分をディスプレイする。ディスプレイ・プロジェクタ４００はそれぞれに、投影レンズ・アセンブリ４０１および画像化装置４１０を備える。本発明の一実施形態では画像化装置４１０が、青色ＬＣ装置４１１、緑色ＬＣ装置４１２および赤色ＬＣ装置４１３から成る３つの透過型ポリシリコン（ポリＳｉ）液晶（ＬＣ）装置を、結合光学系４１４とともに備える。
【００１５】
光は、ディスプレイ・プロジェクタ４００から離れて位置する単一の光源または光エンジン２００によって生み出され、第１の光ファイバ・ケーブル・セット５０１によって光分離ユニット３００に送られる。光分離ユニット３００はこの光を受け取り、図示されていない外部制御機構に従って調光（ｄｉｍｍｉｎｇ）し、次いで青、緑、赤などの原色成分に分離する。これらの原色成分は、光分離ユニット３００から第２の光ファイバ・ケーブル・セット５０２によってディスプレイ・プロジェクタ４００Ａ．．．４００Ｎへ送られ、そこでディスプレイ画像が形成され、ディスプレイ・タイル１０１ａＡ．．．１０１Ｎ上へ投影される。好ましくは、共通の光エンジン２００を使用して全てのディスプレイ・タイル１００Ａ．．．１００Ｎを照明する。本発明の他の実施形態では複数の光エンジン２００が提供されるが、これら複数の光エンジン２００の出力は、光分離ユニット３００へ入力される前に、図示されていない結合装置の内部でが結合される。
【００１６】
図３を参照して、光エンジン２００の構成部品を検討する。アーク・ランプなどの高輝度ランプ２０１が光を生み出し、生み出された光は楕円ミラー２０２で反射され、開口２０３から外へ出る。開口２０３を出た光は、トラペゾイド（ｔｒａｐｅｚｏｉｄ）２０４およびコンセントレータ（ｃｏｎｃｅｎｔｒａｔｏｒ）２０５の中で集束され、集中される。光は、コンセントレータ２０５を通して光エンジン２００を出る。支持アセンブリ構造２１０が、光エンジン２００の内部の構成部品の必要な位置合せを維持する。
【００１７】
光分離ユニット３００の構成部品を検討する。光分離ユニット３００へ送られた光は、ラウンド・ツー・スクエア・モーフィング・コリメータ（ｒｏｕｎｄ−ｔｏ−ｓｑｕａｒｅ　ｍｏｒｐｈｉｎｇ　ｃｏｌｌｉｍａｔｏｒ）３０５に受け取られる。適当なラウンド・ツー・スクエア・モーフィング・コリメータは米国特許出願第０９／３４６２５３号に記載されている。ラウンド・ツー・スクエア・モーフィング・コリメータ３０５は、Ｄｉｇｉｌｅｎｓ社によって製造されている色感応性光シャッタなどの原色光分離ユニット３０１、３０２および３０３によってｓ偏光およびｐ偏光が高い反射率で反射されることを可能にする十分なコリメーション（光線の平行化）を提供する。第２の光ファイバ・ケーブル・セット５０２に入る光束が均等に分配されるように、光分離ユニット３００に入る光が十分に均質化されていることも重要である。このような均質化は、コリメータ３０５と最初の原色光分離ユニット３０１の入口との間で実施することができる。さらに、ファイバ５０２内での損失のため、所与の１台のプロジェクタ４００内で、およびプロジェクタ４００Ａ〜４００Ｎ間でファイバ５０２内の経路長および曲がりが比較的に一定でなければならない。他の実施形態では、光を予め偏光させてから、色感応性ビーム・スプリッタ３０１、３０２および３０３に通す。
【００１８】
好ましい一実施形態では、ラウンド・ツー・スクエア・モーフィング・コリメータ３０５を出た光が、「青」色感応性ビーム・スプリッタ３０１、「緑」色感応性ビーム・スプリッタ３０２および「赤」色感応性ビーム・スプリッタ３０３によってそれぞれの原色成分に分離される。「青」色感応性ビーム・スプリッタ３０１、「緑」色感応性ビーム・スプリッタ３０２および「赤」色感応性ビーム・スプリッタ３０３は、それぞれの原色成分に対して色補正および調光を提供する。調光および色補正機能の副産物である過剰な光はビーム・ダンプ（ｂｅａｍ　ｄｕｍｐ）３０４へ送られる。本発明のこの構成によって、黄／オレンジ色の光バンドを排除することが可能になる。黄／オレンジ色の光バンドは、メタル・ハライド・ランプおよび高圧水銀アーク・ランプでは多く含まれ、赤色の彩度低下（ｄｅｓａｔｕｒａｔｉｏｎ）につながる。黄／オレンジ色の光バンドの排除は、波長５７５から６００ナノメートルの光バンドを通過させるようにビーム・スプリッタ３０１、３０２および３０３を構成し、この光バンドをビーム・ダンプ３０４に吸収させることによって達成される。
【００１９】
青、緑および赤の原色光成分はそれぞれ、「青」色感応性ビーム・スプリッタ３０１、「緑」色感応性ビーム・スプリッタ３０２および「赤」色感応性光シャッタ・ユニット３０３から、複数のスクエア・ツー・ラウンド・モーフィング・コンセントレータ（ｓｑｕａｒｅ−ｔｏ−ｒｏｕｎｄ　ｍｏｒｐｈｉｎｇ　ｃｏｎｃｅｎｔｒａｔｏｒ）３０６の１つに送られる。米国特許出願第０９／３４６２５３号に記載のラウンド・ツー・スクエア・モーフィング・コリメータは、表面が正方形の面から光が入り、表面が円形の面から出ていくとき、スクエア・ツー・ラウンド・モーフィング・コンセントレータとして使用することができる。スクエア・ツー・ラウンド・モーフィング・コンセントレータ３０６には、第２の光ファイバ・ケーブル・セット５０２によって駆動されるプロジェクタ４００の開口数（ＮＡ）を考慮して、光学的なスループットが最適化されるようなテーパが付けられることが好ましい。例示的な一実施形態では、１２台のディスプレイ・プロジェクタ４００Ａ．．．４００Ｎおよび３６本の第２の光ファイバ・ケーブル５０２を使用して、１２枚のディスプレイ・タイル１０１から成る、図２に示すような本発明に基づく投影ディスプレイ画像１００を生み出す。
【００２０】
複数の色感応性ビーム・スプリッタを含む本発明の光分離ユニット構成によって、従来の３原色、赤、緑、青よりも多くの色に可視光スペクトルを分離することができる。本発明の一実施形態では、バンド幅３０ｎｍの３つの緑色光成分、例えば５０５ｎｍ〜５３５ｎｍ、５３５ｎｍ〜５６５ｎｍ、５６５〜５９５ｎｍの緑色光成分を使用するなど、４色以上の光成分を使用することができる。
【００２１】
図３に示した本発明の実施形態では、それぞれのディスプレイ・プロジェクタ４００Ａ．．．４００Ｎが互いに同様の方法で機能する。画像化装置４１０には分離された原色成分が送られる。それぞれの画像化装置４１０は、「青色」画像化装置４１１、「緑色」画像化装置４１２、「赤色」画像化装置４１３のような複数の原色画像化装置を備える。それぞれの画像化装置４１０のところで、これらの複数の原色画像化装置によって一組の個別の原色画像が形成され、それらは色結合装置４１４の中で結合されてフル・カラーの画像となる。この「並行フレーム（ｆｒａｍｅ　ｐａｒａｌｌｅｌ）」実施形態では、色結合装置４１４の中に個別の全てのカラー画像が同時に存在する。ディスプレイ・プロジェクタ４００Ａ．．．４００Ｎから複数のフル・カラー画像が投影レンズ・アセンブリ４０１を通して投影され、これらの画像は結合して、先に説明したような個別のディスプレイ・タイル１０１Ａ．．．１０１Ｎから成る大きなタイル・ディスプレイ１００を形成する。
【００２２】
次に図４を参照すると、本発明の他の例示的な実施形態が示されている。先の図３の実施形態では光分離ユニット３００が、第１の光ファイバ・ケーブル・セット５０１から光入力を受け取り、先に説明した光シャッタ装置３０１、３０２および３０３によって光を空間的に分離して第２の光ファイバ・ケーブル・セット５０２の個々のケーブルへ送った。この図４の実施形態では、光分離ユニット３５０が光を別々の色成分にシーケンシャル（ｓｅｑｕｅｎｔｉａｌ）に、すなわち逐次的に分離する。光分離ユニット３５０は、光学的色感応性装置３１１、３１２および３１３を含み、それぞれの装置は、コントローラ３２０によって青、緑、赤などの原色の間を所定のパターンで順番に切り替わる。次いでこれらの原色出力は、シーケンシャル・シャッタ装置３１１、３１２および３１３のうちの１つの装置に関連づけられたスクエア・ツー・ラウンド・モーフィング・コンセントレータ、ならびに光ファイバ・ケーブル５１２を介して、複数のディスプレイ・プロジェクタ４５０Ａ．．．４５０Ｎへ送られる。この実施形態では、個々の色がディスプレイ・プロジェクタ４５０の中で再結合されるのではなく、コントローラ３２０によって制御される色サブフレーム・シーケンスの速度が十分に速いために、よく知られるように色の結合が見る人の眼を通して実施されるのである。そのため、それぞれのディスプレイ・プロジェクタ４５０は、光ファイバ・ケーブル５１２を介してシーケンシャルに送られてきたそれぞれの色の光を画像化する役目を果たす単一の画像化装置４１５を含む。本発明のこの実施形態によって、色分離光学系および再結合光学系をそれぞれのディスプレイ・プロジェクタに関連づける必要性が排除され、ディスプレイ・プロジェクタ間の色のバランスが維持され、それぞれのディスプレイ・プロジェクタの構造が単純になる。
【００２３】
図４に基づく例示的な特定の一実施形態では、個別の１本の光ファイバ・ケーブル５１２をそれぞれが有する１２台のディスプレイ・プロジェクタ４５０を、図２に示した１２枚のディスプレイ・タイル１０１に対して利用する。シーケンシャル・シャッタ装置３１１、３１２および３１３はそれぞれ、４台のプロジェクタ４５０に関連づけられる。
【００２４】
本発明の他の実施形態では、可視光スペクトルを３「原」色よりも多くの光成分に空間的に分離することができる。
本発明の他の実施形態では、先に説明した液晶ベースの画像化装置の代わりに、マイクロ・エレクトロメカニカル・システム（ＭＥＭＳ）ベースの画像化装置が使用される。企図される本発明の他の実施形態では、リフレクティブ・リキッド・クリスタル・オン・シリコン（ＲＣＯＳ）などの他の透過型および反射型画像化装置を使用して投影画像を生み出す。
【００２５】
本発明の趣旨または範囲から逸脱することなく代替の実施形態を考案することができる。
【図面の簡単な説明】
【図１】
従来の投影型ディスプレイ装置の一例を示す図である。
【図２】
１２枚の個別のディスプレイ・タイルに分割された投影ディスプレイ画像を示す図である。
【図３】
並行動作する透過型ポリシリコン（ポリＳｉ）液晶（ＬＣ）画像化装置を使用した、本発明の例示的な一実施形態を示す図である。ディスプレイ・タイル１枚につきこのような装置が３台使用され、それぞれの装置には、赤、緑、青から成るグループから選択された１つの原色が割り当てられる。
【図４】
色サブフレームをシーケンシャル（逐次的）にディスプレイする、本発明の他の例示的な実施形態を示す図である。
【図４】
2004501398.tif 000003
【国際公開パンフレット】
2004501398.tif 000004
2004501398.tif 000005
2004501398.tif 000006
2004501398.tif 000007
2004501398.tif 000008
2004501398.tif 000009
2004501398.tif 000010
2004501398.tif 000011
2004501398.tif 000012
2004501398.tif 000013
2004501398.tif 000014
2004501398.tif 000015
2004501398.tif 000016
2004501398.tif 000017
2004501398.tif 000018
2004501398.tif 000019
2004501398.tif 000020
2004501398.tif 000021
【国際公開パンフレット（コレクトバージョン）】
2004501398.tif 000022
【国際調査報告】
2004501398.tif 000023
2004501398.tif 000024